(57)【特許請求の範囲】
【請求項１】
本体と、前記本体外面に配設した吸気部と排気部と、前記本体内に配設した加熱庫と、前記吸気部と通気路で連通した冷却ファンユニットと、第１加熱コイル及び前記冷却ファンユニットに対して前記第１の加熱コイルより遠い側に設けた第２の加熱コイルと、前記加熱庫の側方に設けられ、前記第１の加熱コイルを駆動する第１の回路ユニット及び前記第２の加熱コイルを駆動する第２の回路ユニットを有し多層に配設された回路ユニットとを備え、前記冷却ファンユニットは、上下方向に出力軸を備えた１個のモータと、前記モータの上側の出力軸に設けられた第１のファンと、下側の出力軸に設けられた第２のファンとを備え、前記第１の回路ユニットを前記第２の回路ユニットよりも上層側とし、前記第１の加熱コイルを前記第２の加熱コイルよりも最大出力を大きくするか又はアルミニウム製の鍋の加熱力を高めるように設定し、前記第１のファンの冷却能力を前記第２のファンの冷却能力よりも大きくして、前記第１のファンで前記第１の加熱コイルと前記第１の回路ユニットを冷却し、前記第２のファンで前記第２の回路ユニットを冷却する誘導加熱調理器。
【請求項２】
本体と、前記本体外面に配設した吸気部と排気部と、前記本体内に配設した複数の加熱コイルと、加熱庫と、前記吸気部と通気路で連通した冷却ファンユニットと、前記加熱庫の側方に、前記複数の加熱コイルのそれぞれを駆動する上側の第１の回路ユニット及び下側の第２の回路ユニットを有する多層に配設した回路ユニットとを備え、前記冷却ファンユニットは上下方向に出力軸を備えた１個のモータと、前記モータの上側の出力軸に設けられた第１のファンと、下側の出力軸に設けられた第２のファンを備え、前記第１および第２のファンを円筒形状で端面に吸い込み口をもつ多翼ファンとし、前記第１のファンを円筒形状高さの中間に仕切り面を備えた両吸い込みファンとし、前記第２のファンを上側の端面に吸い込み口を備えた片吸い込みファンとして成り、前記第１のファンの前記仕切り面の上側部分で前記加熱コイルに、前記第１のファンの前記仕切り面の下側部分で前記第１の回路ユニットに、前記第２のファンで前記第２の回路ユニットにそれぞれ独立して送風し冷却するようにした誘導加熱調理器。
【請求項３】
本体と、前記本体外面に配設した吸気部と排気部と、前記本体内に配設した複数の加熱コイルと、加熱庫と、前記吸気部と通気路で連通した冷却ファンユニットと、前記加熱庫の側方に、前記複数の加熱コイルのそれぞれを駆動する多層の複数の回路ユニットとを備え、前記冷却ファンユニットは上下方向に出力軸を備えた１個のモータと、前記モータの上側の出力軸に設けられた第１のファンと、下側の出力軸に設けられた第２のファンを備え、前記第１および第２のファンを円筒形状で端面に吸い込み口をもつ多翼ファンとし、前記第２の冷却ファンの吸い込み口を上側の端面に備えた片吸い込みファンとし、前記第２の冷却ファンを囲む前記冷却ファンユニットのケーシング面の下方に、前記吸気部と連通した空間を設けた誘導加熱調理器。
【請求項４】
本体と、前記本体外面に配設した吸気部と排気部と、前記本体内に配設した第１の加熱コイル及び第２の加熱コイルと、加熱庫と、前記吸気部と通気路で連通した冷却ファンユニットと、前記加熱庫の側方に、前記第１及び第２の加熱コイルのそれぞれを駆動する多層の複数の回路ユニットとを備え、前記冷却ファンユニットはモータ本体の上下方向に出力軸を備えた１個のモータと、前記モータの上側の出力軸に設けられた第１のファンと、下側の出力軸に設けられた第２のファンを備え、前記モータ本体の高さ方向の位置について、前記第１の加熱コイルを駆動する前記回路ユニットを構成するインバータ回路のスイッチング素子と、前記第１の加熱コイルを駆動する回路ユニットの下層に設けられ前記第２の加熱コイルを駆動する前記回路ユニットを構成するインバータ回路のスイッチング素子との間に前記モータ本体を配設した誘導加熱調理器。
【発明の詳細な説明】
【０００１】
【発明の属する技術分野】
本発明は、誘導加熱調理器の構成に関するもので特に冷却構成に関する。
【０００２】
【従来の技術】
図７、図８に従来の誘導加熱調理器を示す。本体１には２個の加熱コイル２、３と、ラジェントヒーター４と、ロースター５と、ロースター５と反対側に多層に配設した加熱コイル２、３を駆動する回路ユニット６、７と、その奥の方の冷却ファンユニット８と、吸気口９と、排気口１０とを備えるものであった。冷却ファンユニット８は両端面に吸い込み口を設けた円筒状の多翼ファン１１と、水が掛かることを少なくするため上側に配設したモータ１２と、ファン１１およびモータ１２周囲のケーシング１３から成っている。
【０００３】
２個の加熱コイル２、３は、冷却ファンユニット８側の加熱コイル２を駆動回路６との組み合わせにおいて、他方の加熱コイル３よりも通電可能な最大電流値を大とし、ファンユニット８側の加熱コイル２の定格消費電力を他方より大きくして、湯沸かしスピードなど使用上の能力を高めたものである。
【０００４】
以上の従来の構成において、ファン１１は特性上、中間部に設けた仕切り板１４の上下付近に吹き出しの強い部分が近接して図８中に示すアのような風速分布となり、２層の回路ユニット６、７の部品を多く実装したベース面付近に均等に吹き出すことが難しかった。なお、図８中の矢印は冷却風の流れを示す。
【０００５】
また、冷却ファンユニット８に近い加熱コイル２は、最大電流値が他方より大きいため最大発熱量も多く、冷却風を十分に当てる必要があった。しかし、ファン１１の上にはモータ１２があるため、ファン１１の吹き出し位置は加熱コイル２から少なくともモータ１２の高さ分低くなり、加熱コイル２に直接送風することは困難であり、加熱コイル２の冷却は不十分であった。
【０００６】
【発明が解決しようとする課題】
本発明は前記従来の課題を解決するもので、複数の回路ユニットへの送風分配が容易で、発熱部品の冷却を容易にする。また、最大電流値を他方より大きくした冷却ファンユニット側の加熱コイルへの送風を容易にするもので、ひいては、一方を他方より強い加熱力を得られるもの、あるいは他方が十分加熱できない金属材料の加熱力を高めた加熱コイルとした、使い勝手のよい誘導加熱調理器を提供することを目的とするものである。
【０００７】
【課題を解決するための手段】
前記課題を解決するために、本発明の誘導加熱調理器は、冷却ファンユニットに上下方向に出力軸を備えた１個のモータと、モータの上側の出力軸に第１の冷却ファンを、下側の出力軸に第２の冷却ファンを備えたものである。
【０００８】
これにより、第１のファンと第２のファンによりそれぞれ独立して、複数の回路ユニットへの送風分配が容易になされる。また、モータの上側には第１のファンがあるので、第１のファンと加熱コイルとの高さ方向の配置寸法差を低減でき、冷却ファンユニット側の加熱コイルについて最大電流値を他方より大きくし、あるいは他方が十分加熱できない金属材料の加熱力を高め冷却ファンユニット側の加熱コイルへの送風を容易にする。
【０００９】
【発明の実施の形態】
請求項１に記載の発明は、本体と、本体外面に配設した吸気部と排気部と、本体内に配設した加熱庫と、前記吸気部と通気路で連通した冷却ファンユニットと、第１加熱コイル及び前記冷却ファンユニットに対して前記第１の加熱コイルより遠い側に設けた第２の加熱コイルと、前記加熱庫の側方に設けられ、前記第１の加熱コイルを駆動する第１の回路ユニット及び前記第２の加熱コイルを駆動する第２の回路ユニットを有し多層に配設に配設された回路ユニットとを備え、冷却ファンユニットは上下方向に出力軸を備えた１個のモータと、前記モータの上側の出力軸に設けられた第１のファンと、下側の出力軸に設けられた第２のファンを備えたものである。
【００１０】
これにより、第１の回路ユニット及び前記第２の加熱コイルを駆動する第２の回路ユニットを有し多層に配設された複数の回路ユニットに対し、第１および第２のファンによって容易に送風を効果的に分配し、また、ファンが２個あることで冷却ファンユニットの上下方向の吐出幅が広くなるので、複数の回路ユニットが占める空間の上端から下端まで送風され、回路ユニットの冷却が十分になされる。
【００１１】
また、冷却ファンユニット側の第１の加熱コイルを駆動する第１の回路ユニットを第２の回路ユニットよりも上層側とし、前記冷却ファンユニット側の第１の加熱コイルを第２の加熱コイルよりも最大出力を大きくするか又はアルミニウム製の鍋の加熱力を高めるように設定して、モータの上側出力軸に配設した第１のファンと、下側出力軸に配設した第２のファンの能力に差を有したものである。すなわち冷却ファンユニットは上下方向に出力軸を備えた１個のモータを備え、モータの上側出力軸に配設した第１のファンを能力大、下側出力軸に配設した第２のファンを能力小としたものである。
【００１２】
これにより、通電可能な最大電流値が大きい第１の加熱コイルとその駆動を行う第１の回路ユニットとが近接した位置に配設されるので、第２の加熱コイルよりも最大出力を大きくするか又はアルミニウム製の鍋の加熱力を高めるように設定したため発熱が多くなるこれら加熱コイルと回路とに、能力大側の第１のファンで同時送風することで、高い冷却能力を得ながら第１の回路ユニットと第１の加熱コイルを同時に冷却できる。
【００１３】
請求項２に記載の発明は、本体と、前記本体外面に配設した吸気部と排気部と、前記本体内に配設した複数の加熱コイルと、加熱庫と、前記吸気部と通気路で連通した冷却ファンユニットと、前記加熱庫の側方に、前記複数の加熱コイルのそれぞれを駆動する上側の第１の回路ユニット及び下側の第２の回路ユニットを有する多層に配設した回路ユニットとを備え、前記冷却ファンユニットは上下方向に出力軸を備えた１個のモータと、前記モータの上側の出力軸に設けられた第１のファンと、下側の出力軸に設けられた第２のファンを備え、冷却ファンユニットを構成するモータの、上側出力軸に配設した能力大の第１のファンと、下側出力軸に配した能力小の第２のファンとを、円筒形状で端面に吸い込み口をもつ多翼ファンとし、第１の冷却ファンを円筒形状高さの中間に仕切り面を備えた両吸い込みファンとし、前記第２のファンを上側の端面に吸い込み口を備えた片吸い込みファンとして成り、前記第１のファンの前記仕切り面の上側部分で前記加熱コイルに、前記第１のファンの前記仕切り面の下側部分で前記第１の回路ユニットに、前記第２のファンで前記第２の回路ユニットにそれぞれ独立して送風し冷却するようにしたものである。
【００１４】
これにより、上側の第１のファンは円筒形状の片端面から吸い込むファン２個を実質的に一体化したものとなり、第２のファンもあわせ、それぞれのファンで、上側の回路ユニット、下側の回路ユニット、加熱コイルに独立して送風でき、効率的な本体内の冷却を実現する。
【００１５】
請求項３に記載の発明は、本体と、前記本体外面に配設した吸気部と排気部と、前記本体内に配設した複数の加熱コイルと、加熱庫と、前記吸気部と通気路で連通した冷却ファンユニットと、前記加熱庫の側方に、前記複数の加熱コイルのそれぞれを駆動する多層の複数の回路ユニットとを備え、前記冷却ファンユニットは上下方向に出力軸を備えた１個のモータと、前記モータの上側の出力軸に設けられた第１のファンと、下側の出力軸に設けられた第２のファンを備え、冷却ファンユニットを構成する複数のファンを、円筒形状で端面に吸い込み口をもつ多翼ファンとし、第２の冷却ファンの吸い込み口を上側の端面に備えた片吸い込みファンとし、第２の冷却ファンを囲む冷却ファンユニットのケーシング面の下方に、吸気部と連通した空間を設けたものである。
【００１６】
これにより、水が吸気部から一気に入った時でも、ファンユニットのケーシングの下に設けた吸気部と繋がった空間で、水が受け止められて溜まり、一方、下側に配設した第２のファンの吸い込み口は上側の端面に設けているので、ファンが水を吸い込むのを防ぐことができる。
【００１７】
請求項４に記載の発明は、本体と、前記本体外面に配設した吸気部と排気部と、前記本体内に配設した第１の加熱コイルと、加熱庫と、前記吸気部と通気路で連通した冷却ファンユニットと、前記加熱庫の側方に、前記第１及び第２の加熱コイルのそれぞれを駆動する多層の複数の回路ユニットとを備え、前記冷却ファンユニットはモータ本体の上下方向に出力軸を備えた１個のモータと、前記モータの上側の出力軸に設けられた第１のファンと、下側の出力軸に設けられた第２のファンを備え、前記モータ本体の高さ方向の位置について、前記第１の加熱コイルを駆動する前記回路ユニットを構成するインバータ回路のスイッチング素子と、前記第１の加熱コイルを駆動する回路ユニットの下層に設けられ前記第２の加熱コイルを駆動する前記回路ユニットを構成するインバータ回路のスイッチング素子との間に前記モータ本体を配設している。
【００１８】
これにより、モータ本体の真横方向は冷却風の吐き出しは弱いが、モータ本体の高さ方向の位置を、多層に配設した回路ユニットを構成するインバータ回路のスイッチング素子間とすることで、冷却風の弱い部分が発熱部品と発熱部品との間になり、回路ユニットの冷却が弱くなるのを低減できる。
【００２１】
【実施例】
以下、本発明の実施例について、図１〜６を参照しながら説明する。
【００２２】
（実施例１）
図１、図２は本発明の実施例１における誘導加熱調理器を示すものである。図１、図２において、本体２１の内部には第１の加熱コイル２２と、第２の加熱コイル２３と、ラジェントヒーター２４と、庫内に発熱体としてシーズヒータを備えたロースター２５と、加熱コイル２２、２３の駆動回路を成し、ロースター２５と側方に配設した第１の回路ユニット２６と、第１の回路ユニット２６の下に配設し、電気的に接続され駆動回路の一部を構成する補助回路ユニット２６ａと、第２の回路ユニット２７と、その奥の方の冷却ファンユニット２８と、天板２９の後方の吸気口３０と、排気口３１とを備えている。冷却ファンユニット２８と吸気口３０とは通気路３２で連通している。また、第１の加熱コイル２２と第１の回路ユニット２６および、第２の加熱コイル２３と第２の回路ユニット２７とは中継線３３・３４で接続されている。
【００２３】
ここで、第１の加熱コイル２２は冷却ファンユニット２８側に配設し、第２の加熱コイル２３は冷却ファンユニット２８から遠い側に配設している。
【００２４】
２個の加熱コイル２２・２３のそれぞれを駆動する第１の回路ユニット２６と補助回路ユニット２６ａおよび、第２の回路ユニット２７は、第２の回路ユニット２７が下層になるよう３層に配設されている。インバータ回路を主に実装する第１の回路ユニット２６と検知回路を主に実装する補助回路ユニット２６ａは、近接する側の加熱コイルである冷却ファンユニット２８側の第１の加熱コイル２２と接続され、インバータ回路と検知回路の両方を実装する第２の回路ユニット２７は冷却ファンユニット２８から遠い側の、第２の加熱コイル２３と接続されている。
【００２５】
また、冷却ファンユニット２８は、出力軸を上下向きに配設したモータ３５と、第１のケーシング３６で囲み、上向きの出力軸３７に取り付けた第１のファン３８と、第２のケーシング３９で囲み、下向きの出力軸４０に取り付けた第２のファン４１とを備えている。
【００２６】
２個の加熱コイル２２・２３の動作は、冷却ファンユニット２８側の第１の加熱コイル２２を他方の第２加熱コイル２３よりも通電可能な最大電流値が大きくなるよう、第１の加熱コイル２２と第１の回路ユニット２６に実装されたインバータ回路の定数を設定している。これにより、第１の加熱コイル２２は第２の加熱コイル２３に比べ、最大出力を大きくしたり、板厚が大きい非磁性ステンレスやアルミニウムなど加熱が困難な材料に対する加熱力を高めている。
【００２７】
冷却ファンユニット２８の詳細な構成は次のようになっている。第１および第２のファン３８・４１は、円筒形状で端面に吸い込み口をもつ多翼ファンである。第１の冷却ファン３８は、円筒形状高さの中間に仕切り面４２を備え、第１のケーシング３６に２カ所の両吸い込み口４３・４４を備えている。つまり、第１のファン３８は、円筒形状で片方の端面に吸い込み口をもつ多翼ファン２個を一体にしたものである。
【００２８】
また、第２の冷却ファン４１は上側の端面から吸い込むよう、第２のケーシング３９の上側面に吸い込み口４５を備えた片吸い込みファンとし、第２の冷却ファン４１を囲む第２のケーシング３９の下面は密閉された面で、下方に吸気口３０および通気路３２と連通し、図２で示す高さがＡの空間４６を設けている。
【００２９】
また、第１の回路ユニット２６にはインバータ回路を構成するスイッチング素子４７と放熱体４８が、第２の回路ユニット２７にはインバータ回路を構成するスイッチング素子４９と放熱体５０がそれぞれ設けられている。モータ３５の高さ方向の位置は、多層に配設した第１および第２の回路ユニット２６・２７にそれぞれ実装されたスイッチング素子４７と４９の間に配設している。
【００３０】
また、第１の回路ユニット２６と補助回路ユニット２６ａとは接続線５１で接続され、全体で第１の加熱コイル２２の駆動回路を構成している。これは、第１の加熱コイル２２の電流値が多いため、部品の大型化や部品点数の増加が必要となって駆動回路全体が大型になり、ロースター２５の側方の限られた空間に１枚のプリント基板では回路を収納できないためである。
【００３１】
第１の回路ユニット２６の上側には、先端５２が第１のファン３８の上面よりも下になるよう、冷却ファンユニット２８側を下方に傾斜したキバンカバー５３が設けられている。なお、５４は本体２１を組み込むキッチンのワークトップである。
【００３２】
本体１１内の冷却風の流れは、図１・図２に破線の矢印で示すように、吸気口３０から冷却ファンユニット２８に吸い込まれた後、第１の回路ユニット２６の放熱体４８、第２の回路ユニット２７の放熱体４９、キバンカバー５３の上の空間を通過し、本体２１内のロースター２５側の空間を経由して、排気口３１から排出される。
【００３３】
以上の構成において、本実施例の第１の作用を説明する。第１のファン３８の仕切り面４２より上側の部分からの送風は、下方に傾斜したキバンカバー５３の先端５２でキバンカバー５３の上の空間を通過し、第１の加熱コイル１２は良好に冷却される。第１のファン３８の仕切り面４２より下側の部分からの送風は、第１の回路ユニット２６の放熱体４８を通過し、インバータを構成する発熱部品を多く実装した第１の回路ユニット２６は良好に冷却される。同様に、第２のファン４１からの送風は、第２の回路ユニット２７の放熱体４９を通過し、インバータを構成する発熱部品を多く実装した第２の回路ユニット２７は良好に冷却される。
【００３４】
このように、多層に配設した発熱部品を多く実装した複数の回路ユニット２６・２７に対し、それぞれ第１のファン３８および第２のファン４１によって容易に送風を分配して回路ユニットが占める空間を冷却し、また、ファンが２個あることで冷却ファンユニット２８の上下方向の吐出幅が、第１のファン３８上端から第２のファン４１下端まで広い範囲になり、回路ユニットの冷却が十分になされる。
【００３５】
なお、本実施例において本体２１の外郭は、天板２９で塞がれるように、全体が一体になっているので、本体２１内部の冷却風の流れが一定になり、設置条件などに影響されず安定した冷却状態を得ることができる。
【００３６】
また、モータ３５の両端に第１のファン３８と第２のファン４１とを分割して取り付けることで、２個のファンを合わせた大きさに相当するファンを片側に集中して取り付ける場合より、モータ３５本体部から軸先端までの寸法が短くなる。これにより、ファンの偏心による振動モーメントが低減され、冷却ファンユニット２８全体の振動を低減できる。
【００３７】
さらに、モータ３５の下側には、下面が密閉された第２のケーシング３９の上側面に吸い込み口４５を備え、上側の端面から吸い込む片吸い込みとした第２のファン４１があることから、第２のファン４１位置が本体底面５５から離れる。これにより、吸気口３０から水が入り本体内部底面に溜まった場合、少なくとも高さ方向に第２のファン４１の厚さをこえて水滴を吸い上げなければ電装部品であるモータ３５には達しない。従って、モータ３５に水がかかりにくくできる。
【００３８】
次に、本実施例の第２の作用を説明する。冷却ファンユニット２８側の第１の加熱コイルを駆動する第１の回路ユニット２６を多層に配設した回路ユニットの最上層側とし、その下に補助回路ユニット２６ａを配設し、第１の加熱コイルの通電可能な最大電流値が第２の加熱コイルよりも大となるよう、第１の加熱コイル２２と第１の回路ユニット２６に実装されたインバータ回路の定数を設定している。モータ３５の上側出力軸３７に配設した第１のファン３８は中間に仕切り面４２を備え、２箇所の吸い込み口４３・４４を備えるので能力大であり、下側出力軸４０に配設した第２のファン４１は、吸い込み口４５の１カ所なので能力が小さい。
【００３９】
これにより、通電可能な最大電流値が大きい第１の加熱コイル２２とその駆動部である第１の回路ユニット２６とが近接した位置に配設されるので、第２の加熱コイル２３や第２の回路ユニット２７よりも最大電流値が大きいため発熱が多くなる、これら第１の加熱コイル２２と第１の回路ユニット２６を、能力大側の第１のファン３８で同時冷却し、第２の加熱コイル２３と第２の回路ユニット２７よりも高い冷却能力を得ることができる。
【００４０】
また、上側の第１のファン３８が第２のファン４１より吸い込み能力が高いが、吸気口３０から本体内に入った水滴は下に落ちるので、上側の第１のファン３８は水滴を吸い込みにくくできる。通気路３２を構成する通気隔壁５６の下端を、第２のケーシング３９に吸い込み口４５を設けた上側面より下方まで伸延することで、さらに水滴を吸い込みにくくできる。
【００４１】
以上の実施例において、第１の加熱コイル２２は発振周波数を５０ｋＨｚ程度以上とし、通電可能な最大電流値を第２の加熱コイル２３より大きくしたものは、アルミニウム製の鍋の加熱が可能になり、ステンレスとアルミニウムの多層鍋も加熱が十分になされるので、調理に使用できる鍋の材質範囲が広くなり、誘導加熱調理器の実用性を大きく向上できるものである。なお、発振周波数を７０〜１２０ｋＨｚ程度としたものは、加熱コイル２２やインバータ回路を構成する種々の部品の性能と冷却の点から実用的な周波数である。
【００４２】
なお本実施例では、冷却ファンユニット２８側の第１の加熱コイルを駆動する第１の回路ユニット２６を多層に配設した回路ユニットの最上層側とし、第１の加熱コイルの通電可能な最大電流値が第２の加熱コイルよりも大となるよう設定し、モータ３５の上側に配設した第１のファン３８を能力大、下側に配設した第２のファン４１を能力小としたがこれに限るものでなく、例えば、上側の第１のファンを能力大とし、冷却ファンユニットから遠い側の加熱コイルを、通電可能な最大電流値が他方より大としたものでは、能力大の第１のファンによりキバンカバーとロースター天面とで形成される通風層への送風量を増すことができるので、第１のファンを能力大にしない場合よりも、冷却ファンユニットから遠い側の加熱コイルの冷却効果を高めることができる。
【００４３】
また、上側の第１のファンを能力小、下側の第２のファンを能力大とし、第１のファンはキバンカバーの上側の空間のみに送風して加熱コイル専用の送風ファンとし、第２のファンの送風を多層に配設した回路ユニットに分配し、加熱コイルと回路ユニットそれぞれの冷却風を確保して温度低減を図ることもできる。
【００４４】
次に、本実施例の第３の作用を説明する。冷却ファンユニット２８を構成する第１のファン３８は、円筒形状高さの中間に仕切り面４２を備え、第１のケーシング３６に２カ所の両吸い込み口４３・４４を備えている。つまり、第１のファン３８は、円筒形状で片方の端面に吸い込み口をもつ多翼ファン２個を一体にしたものである。
【００４５】
これにより、上側の第１のファンは円筒形状の片端面から吸い込むファン２個を実質的に一体化したものとなり、第２のファン４１よりも能力が大である。そして、第２のファンもあわせ、それぞれのファンで、上側に配設しインバータを構成する発熱部品を実装した第１の回路ユニット２６、下側に配設しインバータを構成する発熱部品を実装した第２の回路ユニット、第１の加熱コイル２２に独立して送風でき、効率的な本体内の冷却を実現する。ここで、補助回路ユニット２６ａは、検知回路やインバータの制御回路を主に実装したもので、構成する部品の発熱は０〜数Ｗ程度なので、強い冷却風は必要としない。
【００４６】
また、第１のファン３８は、円筒形状の高さ方向の中間に仕切り面４２を備え、円筒形状で片方の端面に吸い込み口をもつ多翼ファン２個を一体にすることで両吸い込みになっており、第１のケーシング３６に２カ所の両吸い込み口４３・４４を備えている。この構成で第１のファン３８は、第１の加熱コイル２２と上側に配設した第１の回路ユニット２６に送風する能力を得ながら、第１のファン３８を小さくでき、ひいては冷却ファンユニット２８の小型化を図ることができる。
【００４７】
さらに、第１のファン３８が下側の吸い込み口４４から吸気する際、モータ３５を確実に冷却し、モータ３５本体や構成部品である軸受けの温度上昇を低減し、モータ３５の長寿命化を図る。
【００４８】
なお、本実施例では、駆動回路を第１の回路ユニット２６と補助回路ユニット２６ａの２層を接続線５１で電気的に接続し、１つの回路ユニットとなっているが、回路ユニット３個以上を電気的に接続したものでもよく、また、補助回路ユニット２６ａが無い構成であってもよい。
【００４９】
ところで、第１のケーシング３６の上側の吸い込み口４３の上には通気路を確保する空間Ｂが必要である。このため、第１のファン３８の高さ方向の位置は、空間Ｂを確保すると天板２９から離れるので、天板２９直下の第１の加熱コイル２２の真横に配設するのは困難になる。従って、第１のファン３８で第１の加熱コイル２２に直接送風することが難しい。ここで、第１の回路ユニット２６の上側に、先端５２が第１のファン３８の上面よりも下になるよう、冷却ファンユニット２８側を下方にした傾斜部を持つキバンカバー５３が設けているので、先端５２を持つ傾斜部により第１のファン３８の送風を上向きに送風し、第１のコイル２２周囲の良好な冷却効果を得ることができる。
【００５０】
次に、本実施例の第４の作用を説明する。第２の冷却ファン４１は、第２のケーシング３９の上側面に吸い込み口４５を備えた片吸い込みファンで、第２の冷却ファン４１を囲む第２のケーシング３９の下面は密閉された面とし、下方に吸気口３０および通気路３２と繋がり、高さがＡの空間４６を設けている。
【００５１】
これにより、水が吸気口３０から一気に入った時でも、冷却ファンユニット２８の第２のケーシング３９下方に設けた、高さがＡの空間で水を受け止めて溜める。これにより、本体内で多層の下側に配設した第２の回路ユニット２７に水が達するのを防ぐ。また、下側に配設した第２のファン４１を囲む第２のケーシング３９の下面は密閉された面とし、上側面に吸い込み口４５を設けているので、第２のケーシング３９の下に溜まった水を第２のファン４１が吸い込むことを防ぐことができる。
【００５２】
さらに、第２のファン４１が上側の吸い込み口４５から吸気する際、モータ３５を確実に冷却し、モータ３５本体や構成部品である軸受けの温度上昇を低減し、モータ３５の長寿命化を図る。
【００５３】
次に、本実施例の第５の作用を説明する。第１の回路ユニット２６にはインバータ回路を構成するスイッチング素子４７と放熱体４８が、第２の回路ユニット２７にはインバータ回路を構成するスイッチング素子４９と放熱体５０がそれぞれ設けられている。モータ３５の高さ方向の位置は、多層に配設した第１および第２の回路ユニット２６・２７にそれぞれ実装されたスイッチング素子４７と４９の間に配設している。
【００５４】
一方、補助回路ユニット２６ａは、検知回路やインバータの制御回路を主に実装したもので、構成する部品の発熱は０〜数Ｗ程度なので、強い冷却風は必要としない。
【００５５】
これにより、モータ３５本体の真横方向は冷却風の吐き出しは弱いが、モータ３５本体の高さ方向の位置を、多層に配設した第１および第２の回路ユニットを構成するインバータ回路のスイッチング素子４７と４９の間とすることで、冷却風の弱い部分が発熱部品と発熱部品との間になり、発熱部品であるスイッチング素子４７・４９とその放熱体４８・５０に強い冷却風を確保し、第１回路ユニット２６と第２の回路ユニット２７の冷却能力低下を防ぐ。
【００５６】
また、モータ３５は第１回路ユニット２６、補助回路ユニット２６ａ、第２の回路ユニット２７を積層した中間の高さにあるので、モータ３５の電源はどの回路ユニットからでも容易に接続でき、本体２１内の構成が簡素になる。
【００５７】
（参考例１）
図３〜図６は、本発明の参考例１における誘導加熱調理器を示す。なお、図６は、部分破断平面図である図５のＸ−Ｘ断面を示している。図３〜図６において、本体２１、第１の加熱コイル２２、第２の加熱コイル２３、ラジェントヒーター２４、ロースター２５と、第１の回路ユニット２６、補助回路ユニット２６ａ、第２の回路ユニット２７と、天板２９、吸気口３０、排気口３１、通気路３２、中継線３３・３４、第１の回路ユニット２６に設けたスイッチング素子４７、放熱体４８、第２の回路ユニット２７に設けたスイッチング素子４９、放熱体５０、接続線５１、ワークトップ５４は実施例１と同様なものである。
【００５８】
実施例１と異なるのは以下である。冷却ファンユニット６１は、下部に配設したモータ６２と、円筒形状の多翼ファンを縦置きとしたファン６３と、ファン６３周囲のケーシング６４を備えている。ファン６３の吸い込み方向は、図５、図６に矢印で示すように、冷却ファンユニット６１の中において、放熱体４８がある吐出口６５から見て左横方で、ファン６３の円筒形状外周面から吸い込む構成としている。また、ケーシング６４と一体に構成された通気隔壁６６は、下端辺６７の位置をファン６３の長さ方向の中心線Ｃ−Ｃよりも上側とし、通気路３２と繋がった通気幅Ｄを確保している。
【００５９】
また、第１の回路ユニット２６の上にはキバンカバー６８を設け、ファン６３の上端面６９の位置をキバンカバー６８よりも高い位置にしている。ファン６３は下端をモータ６２の出力軸７０で、上端を軸受け７１で保持されている。さらに、モータ６２は、ケーシング６４内部に収納され、ケーシング６４の下面と本体２１の底面との間には、高さがＥの空間７２が確保されている。
【００６０】
次に、本参考例の作用を述べる。以上の構成により、ファン６３は円筒形状外周面から吸い込むので、ファン６３の上には通気空間が不要となり、ファン６３の端面位置をキバンカバー６７よりも高く、天板２９に近い位置まで配設することができる。従って、加熱コイル高さ近くまでファン６３の吹き出し位置を設けることが可能になり、キバンカバー６７上の空間に送風し、第１の加熱コイル２２の冷却が十分に実現できる効果がある。
【００６１】
また、吸気口３０からファン６３の吸い込みまでは、図５に矢印で示すように、通気隔壁６６を潜りながら、ファンに達するまでに一度湾曲した経路のみになる。これによりファン６３までの通気距離を短縮し、吸い込み抵抗を低減する。一方、通気隔壁６６の下に潜ることで、万一吸気口３０から水が入った場合は水を吸い込まないよう、吸い込み風と水を分離できる効果がある。
【００６２】
さらに、本参考例では、モータ６２は、ケーシング６４内部に収納されているので、モータ６２の防水と防塵を図っている。
【００６３】
加えて、ケーシング６４の下面と本体２１の底面との間には、高さがＥの空間７２が確保されているので、吸気口３０から一気に水が入った場合には、空間７２で水を受け止め、第２の回路ユニット２７に達することを防止できる。
【００６４】
【発明の効果】
以上のように、請求項１の発明によれば、モータの上側の出力軸に第１のファンを、下側の出力軸に第２のファンを備えることにより、第１の加熱コイルを駆動する第１の回路ユニット及び第２の加熱コイルを駆動する第２の回路ユニットを有し多層に配設した複数の回路ユニットに対し、第１および第２のファンによって容易に送風を分配し、また、ファンが２個あることで冷却ファンユニットの上下方向の吐出幅が広くなるので、回路ユニットの冷却が十分になされるものである。
【００６５】
また、冷却ファンユニット側の第１の加熱コイルを駆動する第１の回路ユニットを上層側とし、第１の加熱コイルを第２の加熱コイルよりも最大出力を大きくするか又はアルミニウム製の鍋の加熱力高めるように設定し、モータの上側出力軸に配設した第１のファンを能力大、下側出力軸に配設した第２のファンを能力小とすることにより、第１の加熱コイルとその駆動を行う第１の回路ユニットとが近接した位置に配設されるので、第２の加熱コイルよりも最大出力を大きくするか又はアルミニウム製の鍋の加熱力を高めるため発熱が多くなる第１の加熱コイルと第１の回路ユニットに、能力大側の第１のファンで同時送風し、高い冷却能力を得ながら第１の回路ユニットと第１の加熱コイルを同時に冷却できるものである。したがって、冷却ファンユニット側の第１の加熱コイルを冷却ファンユニットに対して第１の加熱コイルより遠い側に設けた第２の加熱コイルより強い加熱力を得られるもの、あるいは第２の加熱コイルが十分加熱できない金属材料の加熱力を高めた加熱コイルとした、使い勝手のよい誘導加熱調理器を提供できる。
【００６６】
請求項２の発明によれば、第１および第２のファンを、円筒形状で端面に吸い込み口をもつ多翼ファンとし、第１のファンを円筒形状高さの中間に仕切り面を備えた両吸い込みファンとし、第２のファンを上側の端面に吸い込み口を備えた片吸い込みファンとして成り、第１のファンの仕切り面の上側部分で加熱コイルに、第１のファンの仕切り面の下側部分で第１の回路ユニットに、第２のファンで第２の回路ユニットにそれぞれ独立して送風し冷却するようにしたもので、上側の回路ユニット、下側の回路ユニット、加熱コイルに独立して送風でき、効率的な本体内の冷却を実現する。
【００６７】
請求項３の発明によれば、第２の冷却ファンの吸い込み口を上側の端面に備えた片吸い込みファンとし、第２の冷却ファンを囲む冷却ファンユニットのケーシング面の下方に、吸気部と繋がった空間を設けるので、ファンユニットのケーシングの下に設けた吸気部と繋がった空間で水が受け止められて溜まり、一方、下側に配設した第２のファンの吸い込み口は上側の端面に設けているので、ファンが水を吸い込むのを防ぐことができる。
【００６８】
請求項４の発明によれば、モータ本体の高さ方向の位置について、第１の加熱コイルを駆動する回路ユニットを構成するインバータ回路のスイッチング素子と、前記第１の加熱コイルを駆動する回路ユニットの下層に設けられ第２の加熱コイルを駆動する回路ユニットを構成するインバータ回路のスイッチング素子との間に前記モータ本体を配設することで、冷却風の弱い部分であるモータ本体の真横方向が発熱部品と発熱部品との間になり、回路ユニットの冷却が低下することを低減できる。
【図面の簡単な説明】
【図１】  本発明の実施例１における誘導加熱調理器の分解斜視図
【図２】  本発明の実施例１における誘導加熱調理器の断面図
【図３】  本発明の参考例１における誘導加熱調理器の分解斜視図
【図４】  本発明の参考例１における誘導加熱調理器の断面図
【図５】  本発明の参考例１における誘導加熱調理器の要部断面の上面図
【図６】  本発明の参考例１における誘導加熱調理器の要部断面図
【図７】  従来の誘導加熱調理器の分解斜視図
【図８】  従来の誘導加熱調理器の断面図
【符号の説明】
２１  本体
２２  第１の加熱コイル
２３  第２の加熱コイル
２５  ロースター（加熱庫）
２６  第１の回路ユニット
２６ａ  補助回路ユニット
２７  第２の回路ユニット
２８、６１  冷却ファンユニット
３０  吸気口（吸気部）
３１  排気口（排気部）
３２  通気路
３５、６２  モータ
３７  上向きの出力軸
３８  第１のファン
６４  ケーシング
４０  下向きの出力軸
３９、４１  第２のファン
４２  仕切り面
４６  空間
４７、４９  スイッチング素子
６３  ファン（多翼ファン）
６５  吐出口
【図１】
0003912059.tif 000002
【図３】
0003912059.tif 000003
【図５】
0003912059.tif 000004
【図６】
0003912059.tif 000005
【図７】
0003912059.tif 000006
【図８】
0003912059.tif 000007
【図２】
0003912059.tif 000008
【図４】
0003912059.tif 000009